(57)【特許請求の範囲】
【請求項１】
透孔が形成された支持板を備える支持台と、前記支持板の透孔部にフィルターが位置するように、該支持板上に取付けられた濾過容器と、この濾過容器内に収納された濾過物を、前記フィルターを通過させて排出させることができる底面に平坦部が形成されたブレードと、このブレードあるいは前記濾過容器を、該濾過容器内の濾過物を濾過できるように回転駆動させる回転駆動装置と、前記ブレードを振動させるブレード振動装置とを備え、前記ブレードは、底面に平坦部が形成された棒状のブレード本体と、このブレード本体の中央部に固定された上方へ突出する軸と、前記ブレード本体の底面平坦部の一端から斜め上方に鈍角に延長され、濾過物が当接する当接面に形成された濾過物をフィルター方向へ押し圧することができる下部傾斜面と、前記ブレード本体の上面でかつ前記下部傾斜面の上端部から斜め下方に鋭角に延長され、濾過物を容易に落下させるための上部傾斜面とで構成されており、
前記ブレードの上面に載った濾過物はブレードの上部傾斜面と、ブレードに加えられる振動によってフィルター上へ自動的に落下し、落下した濾過物がブレードの下部傾斜面に衝突し、フィルター方向へ押し下げられることを特徴とする濾過機。
【請求項２】
回転駆動装置は支持板の透孔の外周部に回転可能に取付けられ、かつ濾過容器が固定されたリング状の回転体と、このリング状の回転体を回転駆動させる回転体回転装置とで構成されたものを用いるとともに、濾過容器内のブレードは支持台に固定されたブレード固定金具で固定され、該ブレード固定金具にはブレード振動装置が取付けられていることを特徴とする請求項１記載の濾過機。
【発明の詳細な説明】
【技術分野】
【０００１】
本発明は粉体やスクリーン印刷等で使用されるペーストに含まれる不純物を除去する濾過機に関する。
【背景技術】
【０００２】
従来のペーストを濾過する濾過機はフィルターを設けた濾過容器内にフィルターよりペーストを押し出すブレードを回転可能に取付けた構造になっている。
このため、濾過容器内に収納されたペーストは、濾過時にブレードによってフィルター上を回転し、高粘度のペーストを効率よく濾過させることができないという欠点があった。
このため、ブレードを固定し、ペーストが収納された濾過容器を回転させるように構成した濾過機が考えられているが、このような濾過機でも効率よく濾過させることができないという欠点があった。
【先行技術文献】
【特許文献】
【０００３】
【特許文献１】特許第３０１４４１１号公報
【発明の概要】
【発明が解決しようとする課題】
【０００４】
本発明は以上のような従来の欠点に鑑み、粉体やスクリーン印刷等で使用されるペーストをブレードで効率よくフィルターへ押し付けて、効率よく濾過させることができるとともに、既存の濾過機も容易に改造することができる濾過機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は透孔が形成された支持板を備える支持台と、前記支持板の透孔部にフィルターが位置するように、該支持板上に取付けられた濾過容器と、この濾過容器内に収納された濾過物を、前記フィルターを通過させて排出させることができる底面に平坦部が形成されたブレードと、このブレードあるいは前記濾過容器を、該濾過容器内の濾過物を濾過できるように回転駆動させる回転駆動装置と、前記ブレードを振動させるブレード振動装置とを備え、前記ブレードは、底面に平坦部が形成された棒状のブレード本体と、このブレード本体の中央部に固定された上方へ突出する軸と、前記ブレード本体の底面平坦部の一端から斜め上方に鈍角に延長され、濾過物が当接する当接面に形成された濾過物をフィルター方向へ押し圧することができる下部傾斜面と、前記ブレード本体の上面でかつ前記下部傾斜面の上端部から斜め下方に鋭角に延長され、濾過物を容易に落下させるための上部傾斜面とで構成されており、前記ブレードの上面に載った濾過物はブレードの上部傾斜面と、ブレードに加えられる振動によってフィルター上へ自動的に落下し、落下した濾過物がブレードの下部傾斜面に衝突し、フィルター方向へ押し下げられることを特徴とする濾過機を構成している。
【発明の効果】
【０００７】
以上の説明から明らかなように、本発明にあっては次に列挙する効果が得られる。
（１）請求項1により、ブレード振動装置によってブレードを振動させることができる。
したがって、濾過容器のフィルターより濾過物を効率よく濾過することができる。    
（２）前記（１）により、ブレードの底面に平坦部が形成されているので、ブレードを振動させても、ブレードとフィルターの摺動およびブレードのフィルターへの押し圧力で濾過容器内の濾過物を濾過させることができる。
（３）前記（１) により、ブレードを振動させるブレード振動装置を設置するとともに、底面に平坦部が形成されたブレードを用いればよいので、既存の装置も容易に改造することができる。
（４）請求項２も前記（１）〜（３）と同様な効果が得られるとともに、濾過容器内へ濾過物を無造作に投入しても、ブレードの上面に位置した濾過物を自動的にフィルター上へ移動させることができる。
したがって、濾過容器内への濾過物の投入作業を容易に行なうことができる。
（５）請求項３も前記（１）〜（３）と同様な効果が得られるとともに、濾過容器を回転させ、ブレードを停止させて濾過させるので、従来のブレードで濾過物を押しながら回転させるものに比べ、濾過物をブレードによって効率よくフィルター上へ押し付け、濾過させることができる。
【図面の簡単な説明】
【０００８】
【図１】本発明を実施するための第１の形態の正面図。
【図２】本発明を実施するための第１の形態の平面図。
【図３】本発明を実施するための第１の形態の側面図。
【図４】図２の４−４線に沿う要部断面図。
【図５】本発明を実施するための第１の形態の濾過容器の説明図。
【図６】本発明を実施するための第１の形態のブレードの説明図。
【図７】本発明を実施するための第１の形態の回転駆動装置の説明図。
【図８】本発明を実施するための第２の形態の正面図。
【図９】本発明を実施するための第２の形態の平面図。
【図１０】本発明を実施するための第２の形態の側面図。
【図１１】本発明を実施するための第３の形態の正面図。
【図１２】本発明を実施するための第３の形態の平面図。
【図１３】本発明を実施するための第３の形態の側面図。
【図１４】本発明を実施するための第4の形態の正面図。
【図１５】本発明を実施するための第4の形態の平面図。
【図１６】本発明を実施するための第4の形態の側面図。
【発明を実施するための形態】
【０００９】
以下、図面に示す本発明を実施するための形態により、本発明を詳細に説明する。
【００１０】
図１ないし図７に示す本発明を実施するための第１の形態において、１は本発明の粉体やスクリーン印刷等で使用されるペースト等の濾過物２に含まれる不純物を除去する濾過機で、この濾過機１は上面ほぼ中央部に透孔３が形成された支持板４を備える支持台５と、この支持台５の支持板４の透孔３部にフィルター６が位置するように、該支持板４上に取付けられた濾過容器７と、この濾過容器７内に収納された濾過物２を、前記フィルター６を通過させて排出させることができるブレード８と、前記濾過容器７を回転駆動させる回転駆動装置９と、前記ブレード８を振動させるブレード振動装置１０とで構成されている。
【００１１】
前記支持台５は支持板４の透孔３部より落下してくる、濾過された濾過物２を収納する収納容器１１を収納する容器収納室１２、この容器収納室１２の下部に収納室１３が形成された長方体状の支持台本体１４と、この支持台本体１４の四隅部の底面に取付けられたキャスター１５、１５、１５、１５とで構成されている。
【００１２】
前記濾過容器７は図５に示すように、ステンレス材等で円筒状に形成された濾過容器本体１６と、この濾過容器本体１６の上下面に外方へ突出するように形成された上部より下部が大径の上下部フランジ部１７、１８と、この下部フランジ部１８の底面に形成された係合部１９としてのリング状の溝２０と、このリング状の溝２０と係合する係合突片２１としてのリング状の突片２２で固定されるリング状のフィルター固定具２３と、このフィルター固定具２３と前記下部フランジ部１８との間で外周部が前記リング状の溝２０とリング状の突片２２とで、外周方向の張力が加えられた状態で固定されるフィルター６と、前記フィルター固定具２３の底面に形成された支持凹部２４とで構成されている。
【００１３】
前記回転駆動装置９は前記支持台５の支持板４の透孔３の周縁部に形成された円筒状のフランジ部２５の外周部に取付けられたベアリング２６と、このベアリング２６に取付けられたリング状の回転体としてのリング状歯車２７と、このリング状歯車２７に複数本のボルト２８で固定された、前記濾過容器７のフィルター固定具２３の支持凹部２４に入り込む係合部２９が形成された、該濾過容器７を支持するリング状のベース板３０と、前記回転体としてのリング状歯車２７と噛み合うピニオン３１を駆動軸３２に取付けた、前記支持台５に取付けられたモータ３３とで構成されている。
【００１４】
前記ブレード８は底面に平坦部３４が形成された棒状のブレード本体３５と、このブレード本体３５の中央部に固定された上方へ突出する軸３６と、前記ブレード本体３５の濾過物が当接する当接面に形成された濾過物２をフィルター方向へ押し圧することができる傾斜面３７、３７と、前記ブレード本体３５の上面に形成された濾過物２を容易に落下させるための傾斜面３８、３８とで構成されている。
【００１５】
前記ブレード振動装置１０は前記支持台５に立設するように固定された支柱３９と、この支柱３９の上部に固定された前記ブレード本体３５に固定された軸３６を着脱可能に固定する軸取付具４０と、この軸取付具４０に取付けられたエアーバイブレータ４１と、このエアーバイブレータ４１にエアーを供給するコンプレッサー４２に接続されたレギュレーター４３とで構成されている。
なお、４４は前記フランジ部２５に係止されるフランジ４５が形成されたロートである。
【００１６】
上記構成の濾過機１は容器収納室１２にロート４４より落下する、濾過された濾過物２を収納できるように収納容器１１を位置させ、濾過容器７内へ濾過物２を投入し、回転駆動装置９のモータ３３を駆動させ、駆動軸３２、ピニオン３１、回転体としてのリング状歯車２７、濾過容器７を回転させるとともに、ブレード振動容器１０を作動させてブレード８を振動させると、濾過物２はブレード８の傾斜面３７、３７に押し当てられフィルター６へ押し付けられ、かつブレード８の振動によって濾過物２はフィルター６によって効率よく濾過され、ロート４４を介して収納容器１１内へ導かれて濾過される。
【００１７】
この時、ブレード８の上面に載った濾過物２はブレード８の傾斜面３８、３８と、ブレード８に加えられる振動によってフィルター６上へ自動的に落下するとともに、フィルター６上の濾過物２は濾過容器７が回転し、ブレード８が停止しているため、濾過物２がブレード８の傾斜面３７、３７に衝突し、下方のフィルター６方向へ押し下げられるため、ブレードが回転するもののように濾過物２がブレード８で押し付けられて回転するものに比べ、効率よく濾過させることができる。
【００１８】
濾過作業が終了すると、軸取付具４０より軸３６を外してブレード８、濾過容器７およびロート４４を取り外して洗浄作業を行なう。
【００１９】
この時、軸取付具４０より軸３６を容易に着脱できるため、気軽に洗浄作業を行なうことができる。    
【００２０】
[発明を実施するための異なる形態]
次に、図８ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図８ないし図１０に示す本発明を実施するための第２の形態において、前記本発明を実施するための第１の形態と主に異なる点は、軸３６の上端部にエアーバイブレータ４１を着脱可能に取付けるとともに、軸３６を上下移動可能になるように軸取付具４０Ａで取付けた点で、このように構成した濾過機１Ａにしても、前記本発明を実施するための第１の形態と同様な作用効果が得られる。
また、洗浄作業時にはエアーバイブレータ４１を軸３６より取り外して行なう。
【００２２】
図１１ないし図１３に示す本発明を実施するための第３の形態において、前記本発明を実施するための第１の形態と主に異なる点は、支持台５に濾過容器７を回転不能に支持させるとともに、該濾過容器７内で回転するブレード８Ａを、該ブレード８Ａに固定された軸３６、この軸３６の上端部をチャック４６を介して取付けられたスプライン軸４７、このスプライン軸４７を上下移動可能に回転駆動させるウオームとウオーム歯車、傘歯車、冠歯車と小歯車等の、従来から一般に使用されている動力伝達機構４８が介装され、かつ高さ調整機構５３を備えた台５４に取付けられたモータ３３、前記スプライン軸４７を所定位置に保持できるように、前記動力伝達機構４８の上下部に介装されたスプリング４９、４９とで構成された回転駆動装置９Ａと、前記スプライン軸４７の上端部にロータリージョイント５０を介して設けられたエアーバイブレータ４１、このエアーバイブレータ４１が回転するのを阻止する、該エアーバイブレータ４１を前記モータ３３に止め具５１によって止められたブレード振動装置１０Ａを用いた点で、このようにブレード８Ａを回転させる濾過機１Ｂにしても、前記本発明を実施するための第１の形態と同様な作用効果が得られる。
【００２３】
図１４ないし図１６に示す本発明を実施するための第４の形態において、前記本発明を実施するための第３の形態と主に異なる点は、スプライン軸４７の上端部にエアーバイブレータ４１を固定し、エアーバイブレータ４１にエアーを、ロータリージョイント５０を介してエアーホース５２を接続したブレード振動装置１０Ｂを用いた点で、このようなブレード振動装置１０Ｂを用いて構成した濾過機１Ｃにしても、前記本発明を実施するための第３の形態と同様な作用効果が得られる。
【産業上の利用可能性】
【００２４】
本発明は粉体やスクリーン印刷等で使用されるペーストに含まれる不純物を除去する濾過機を製造する産業で利用される。
【符号の説明】
【００２５】
１、１Ａ、１Ｂ、１Ｃ：濾過機、２：濾過物、
３：透孔、        ４：支持板、
５：支持台、        ６：フィルター、
７：濾過容器、      ８、８Ａ：ブレード、
９、９Ａ：回転駆動装置、    
１０、１０Ａ、１０Ｂ：ブレード振動装置、
１１：収納容器、      １２：容器収納室、
１３：収納室、      １４：支持台本体、
１５：キャスター、      １６：濾過容器本体、
１７：上部フランジ部、    １８：下部フランジ部、
１９：係合部、      ２０：リング状の溝、
２１：係合突片、      ２２：リング状の突片、
２３：リング状のフィルター固定具、
２４：支持凹部、      ２５：フランジ部、
２６：ベアリング、      
２７：回転体としてのリング状歯車、
２８：ボルト、      ２９：係合部、
３０：リング状のベース板、  ３１：ピニオン、
３２：駆動軸、      ３３：モータ、
３４：平坦部、      ３５：ブレード本体、
３６：軸、        ３７：傾斜面、
３８：傾斜面、      ３９：支柱、
４０、４０Ａ：軸取付具、    ４１：エアーバイブレータ、
４２：コンプレッサー、    ４３：レギュレーター、
４４：ロート、      ４５：フランジ、
４６：チャック、      ４７：スプライン軸、
４８：動力伝達機構、    ４９：スプリング、
５０：ロータリージョイント、  ５１：止め具、
５２：エアーホース、    ５３：高さ調整機構、
５４：台。
【図１】
0005520166.tif 000002
【図２】
0005520166.tif 000003
【図３】
0005520166.tif 000004
【図４】
0005520166.tif 000005
【図５】
0005520166.tif 000006
【図６】
0005520166.tif 000007
【図７】
0005520166.tif 000008
【図８】
0005520166.tif 000009
【図９】
0005520166.tif 000010
【図１０】
0005520166.tif 000011
【図１１】
0005520166.tif 000012
【図１２】
0005520166.tif 000013
【図１３】
0005520166.tif 000014
【図１４】
0005520166.tif 000015
【図１５】
0005520166.tif 000016
【図１６】
0005520166.tif 000017